【手続補正書】
【提出日】令和3年11月11日(2021.11.11)
【手続補正１】
【補正対象書類名】特許請求の範囲
【補正対象項目名】全文
【補正方法】変更
【補正の内容】
【特許請求の範囲】
【請求項１】
無停電電源システムの二次電池測定・通信装置であって、無停電電源システムを含み、
該無停電電源システムが、メインバッテリーモジュールと、少なくとも１つのサブバッテリーモジュールを含み、該メインバッテリーモジュールと該サブバッテリーモジュールが接続され、該サブバッテリーモジュールが該メインバッテリーモジュールに該サブバッテリーモジュールの第２バッテリーデータを伝送し、前記メインバッテリーモジュールがクラウドサーバーに前記第２バッテリーデータと該メインバッテリーモジュールの第１バッテリーデータを伝送し、遠隔管理モジュールによる前記メインバッテリーモジュール及び前記サブバッテリーモジュールの遠隔測定に提供され、
前記メインバッテリーモジュールが、第１蓄電ユニットと、第１検出ユニットと、第１処理ユニットと、通信ユニットと、第１データ伝送ユニットとを含み、該第１蓄電ユニットが該第１検出ユニットに接続され、該第１検出ユニット、該通信ユニット、該第１データ伝送ユニットがそれぞれ該第１処理ユニットに接続され、該第１データ伝送ユニットが該通信ユニットに接続され、
前記第１蓄電ユニットが複数の第１バッテリーパックを直列接続して構成され、各第１バッテリーパックがそれぞれ二次電池であり、これにより電気エネルギーを貯蔵かつ出力し、
前記第１検出ユニットが複数の第１測定器を備え、各第１バッテリーパックの第１電圧値、第１内部抵抗値、該第１蓄電ユニットの第１温度値をそれぞれ測定し、かつ前記第１処理ユニットに該第１電圧値、該第１内部抵抗値、該第１温度値を伝送するために用いられ、
前記第１処理ユニットがマイクロプロセッサであり、前記第１処理ユニットが、前記第１電圧値及び前記第１内部抵抗値をそれぞれ対応する各第１バッテリーパックの識別コードに紐付け、前記第１温度値を前記第１蓄電ユニットの識別コードに紐付け、これに基づいて前記第１バッテリーデータとして処理し、かつ前記通信ユニットに該第１バッテリーデータを伝送し、
前記通信ユニットが無線通信装置であり、前記クラウドサーバーに該該第１バッテリーデータを伝送するために用いられ、
前記第１データ伝送ユニットが、第１単方向伝送ポートと、第１双方向伝送ポートとを含み、
前記サブバッテリーモジュールが、第２蓄電ユニットと、第２検出ユニットと、第２処理ユニットと、第２データ伝送ユニットを含み、該第２蓄電ユニットが該第２検出ユニットに接続され、該第２検出ユニットが該第２処理ユニットに接続され、該第２データ伝送ユニットが該第２処理ユニットに接続され、
前記第２蓄電ユニットが複数の第２バッテリーパックを直列接続して構成され、各第２バッテリーパックがそれぞれ二次電池であり、これにより電気エネルギーを貯蔵かつ出力し、
前記第２検出ユニットが複数の第２測定器を備え、各第２バッテリーパックの第２電圧値、第２内部抵抗値、前記第２蓄電ユニットの第２温度値をそれぞれ測定し、かつ前記第２処理ユニットに該第２電圧値、該第２内部抵抗値、該第２温度値を伝送するために用いられ、
前記第２処理ユニットがマイクロプロセッサであり、該第２処理ユニットが前記第２電圧値及び前記第２内部抵抗値をそれぞれ対応する各第２バッテリーパックの識別コードに紐付け、前記第２温度値を前記第２蓄電ユニットの識別コードに紐付け、これに基づき前記第２バッテリーデータとして処理し、かつ前記第２データ伝送ユニットに該第２バッテリーデータを伝送し、
前記第２データ伝送ユニットが、第２単方向伝送ポートと、第２双方向伝送ポートを含み、
前記第１単方向伝送ポートと前記第２双方向伝送ポートが信号ケーブルにより接続され、前記サブバッテリーモジュールが前記メインバッテリーモジュールに前記第２バッテリーデータを伝送する、
ことを特徴とする、無停電電源システムの二次電池測定・通信装置。
【請求項２】
前記通信ユニットが、ＮＢ−ＩｏＴ（狭帯域モノのインターネット）通信装置、４Ｇ無線通信装置または５Ｇ無線通信装置である、ことを特徴とする、請求項１に記載の無停電電源システムの二次電池測定・通信装置。
【請求項３】
測定プローブを含み、該測定プローブがＢｌｕｅｔｏｏｔｈ伝送装置であり、前記メインバッテリーモジュールまたは前記サブバッテリーモジュールの検査・メンテナンス時、前記測定プローブを前記第１双方向伝送ポートまたは前記第２双方向伝送ポートに接続し、アプリケーションプログラムを装備した通信設備を利用して、前記測定プローブで前記第１バッテリーデータまたは該第２バッテリーデータを読み取り、検査・メンテナンスの信頼性を向上することができる、ことを特徴とする、請求項１に記載の無停電電源システムの二次電池測定・通信装置。
【請求項４】
複数の前記サブバッテリーモジュールと数本の前記信号ケーブルを含み、各サブバッテリーモジュールが順に各信号ケーブルにより接続され、各サブバッテリーモジュールが前記メインバッテリーモジュールへ対応する第２バッテリーデータを伝送する、ことを特徴とする、請求項１に記載の無停電電源システムの二次電池測定・通信装置。
【請求項５】
前記複数の第１測定器が、複数の第１電圧測定器、複数の第１電池内部抵抗測定器、第１温度測定器で構成され、各第１電圧測定器がそれぞれ各第１バッテリーパックに接続され、これにより各第１バッテリーパックの第１電圧値を測定し、各第１電池内部抵抗測定器がそれぞれ各第１バッテリーパックに接続され、これにより各第１バッテリーパックの第１内部抵抗値を測定し、前記第１温度測定器が前記第１蓄電ユニットに接続され、これにより該第１蓄電ユニットの第１温度値を測定する、ことを特徴とする、請求項１に記載の無停電電源システムの二次電池測定・通信装置。
【請求項６】
前記複数の第２測定器が、複数の第２電圧測定器、複数の第２電池内部抵抗測定器、第２温度測定器で構成され、各第２電圧測定器がそれぞれ各第２バッテリーパックに接続され、これにより各第２バッテリーパックの第２電圧値を測定し、各第２電池内部抵抗測定器がそれぞれ各第２バッテリーパックに接続され、これにより各第２バッテリーパックの第２内部抵抗値を測定し、前記第２温度測定器が前記第２蓄電ユニットに接続され、これにより前記第２蓄電ユニットの第２温度値を測定する、ことを特徴とする、請求項１に記載の無停電電源システムの二次電池測定・通信装置。
【請求項７】
前記各第１バッテリーパック及び前記各第２バッテリーパックが、それぞれ複数のバッテリーセルを直列接続して構成される、ことを特徴とする、請求項１に記載の無停電電源システムの二次電池測定・通信装置。
【請求項８】
無停電電源システムの二次電池測定・通信装置を使用した遠隔測定方法であって、クラウドサーバーと、遠隔管理モジュールと、請求項１に記載の無停電電源システムの二次電池測定・通信装置を使用して実行され、無停電電源システムの二次電池測定・通信装置が、無停電電源システムを含み、
前記クラウドサーバー及び前記遠隔管理モジュールがそれぞれ相互にデータの送受信を実行するために用いるネットワークとデータ伝送機能を備え、
前記遠隔測定方法は、
前記無停電電源システムが内蔵する第１蓄電ユニットと第２蓄電ユニットを測定し、測定結果に基づき第１バッテリーデータと第２バッテリーデータを取得する、測定工程と、  前記無停電電源システムが前記クラウドサーバーに前記第１バッテリーデータと前記第２バッテリーデータを伝送し、前記遠隔管理モジュールが前記クラウドサーバーから前記第１バッテリーデータと前記第２バッテリーデータを取得する、伝送工程と、
前記遠隔管理モジュールが前記第１バッテリーデータと前記第２バッテリーデータをそれぞれ所定の安全値と比較し、比較結果に基づき前記第１蓄電ユニットと前記第２蓄電ユニットの状態を表示する、処理工程と、
を含む、ことを特徴とする、無停電電源システムの二次電池測定・通信装置を使用した遠隔測定方法。